(57)【要約】【課題】髪を収容する空間を充分確保することができるとともに、先端を先細に形成することが可能な毛すき鋏を提供することを課題とする。【解決手段】毛すき鋏１は、第一鋏片２及び第二鋏片３を有し、第一鋏片２及び第二鋏片３の互いの略中心付近で軸部を介して回動自在に組付けられている。さらに、第一鋏片２の第一刃片９には、所定の等間隔の歯間Ｗを保って形成され、先端に髪Ｈを切断するすき刃１３を有する複数のくし歯４が設けられ、一方、第二鋏片３の第二無刃片１０には、くし歯４の歯間Ｗに対向し、先端から例えば八カ所に円弧状の切欠５が設けられ、さらにすき刃１３と対向する部位にくさび形状の第二切欠１４がそれぞれ設けられている。【選択図】　　　　図２
2004121555.tif 000002
【特許請求の範囲】
【請求項１】
複数のくし歯を有し、前記くし歯の先端にすき刃が形成された第一鋏片と、
前記第一鋏片に回動自在に軸を介して組付けられた第二鋏片と
を具備する毛すき鋏において、
前記第二鋏片は、
前記第一鋏片の前記くし歯の歯間と対向した部位に切欠が設けられていることを特徴とする毛すき鋏。
【請求項２】
前記切欠は、
前記第二鋏片の先端のみに設けられていることを特徴とする請求項１に記載の毛すき鋏。
【請求項３】
前記第二鋏片は、
前記くし歯の前記すき刃と対向する部位に第二切欠が設けられていることを特徴とする請求項１または請求項２に記載の毛すき鋏。
【請求項４】
前記第二鋏片の前記切欠は、
略円弧形状に形成されていることを特徴とする請求項１乃至請求項３のいずれか一つに記載の毛すき鋏。
【請求項５】
前記切欠は、
前記第二鋏片の先端から前記軸に向かって切欠深さが漸浅して形成されていることを特徴とする請求項１乃至請求項４のいずれか一つに記載の毛すき鋏。
【発明の詳細な説明】
【０００１】
【発明の属する技術分野】
本発明は、毛すき鋏に関するものであり、特に、セニングに用いる毛すき鋏に関するものである。
【０００２】
【従来の技術】
従来から、理髪店や美容院などでは、客の注文に応じて髪の長さを調整するためのカットや髪の分量（所謂「ボリューム」）を調整するための毛すきなどの手技を行うことがある。そして、これらのカットや毛すきの手技を行うため、それぞれに適した形状や種類の鋏が予め複数用意され、理容師や美容師等の理美容従事者（以下、「理容師等」と称す）が、これらを適宜選択することによってカットなどの作業が行われている。
【０００３】
特に、毛すきに用いられる鋏（＝毛すき鋏）は、一般の鋏と形状が大きく異なっている。毛すき鋏の一般的な構成を示すと、一方の鋏片の周縁に刃先が形成された「切刃」と、切刃に回動自在に軸支されるとともに切刃と対向する部位に互いに離間して形成された複数のくし歯を有し、くし歯の先端に「すき刃」が設けられたものである。そして、切刃及びすき刃を、軸を中心として開き、さらに開いた切刃とすき刃の間に毛すきの対象となる髪を挿入し、その後に切刃とすき刃とを軸を中心として閉じる操作を行うことにより、くし歯の歯間及び切刃の一部によって空間が生成され、両者の間に挿入された髪の一部が係る空間に収容された状態となる。このとき、空間に収容された髪は切刃及びすき刃によって剪断がなされないため、切断されることなくそのままの長さを保持して残存する。一方、くし歯の先端のすき刃と接した髪は、切刃およびすき刃によって剪断され、係る箇所で切断される。そのため、空間に位置する髪が切断されずに残り、すき刃に接した髪だけを選択的に切断することができる。そのため、髪のボリュームなどを顧客の注文や髪形などに応じて調整する毛すきを行うことができる。
【０００４】
ここで、上述の毛すきの手技を理容師等が行う場合、切刃及びすき刃によって髪を空間に収容した状態で、毛すき鋏を例えば髪の先端（毛先）に向かって動かすことがある。このとき、空間を形成する切刃の一部が髪と接触し、擦れることがある。その結果、髪に切刃が食込んだり、髪の表皮と引掛かる可能性が高くなり、髪の表皮構造等に重大なダメージを与えることがある。これにより、髪の健康状態を損ない、枝毛などの発生に毛すき鋏が大きく寄与することがあった。
【０００５】
そこで、本願出願人は、上述の毛すきの作業において髪にダメージを与えない構成を備える毛すき鋏について発明し、既に開示している（特許文献１参照）。これによれば、くし状を呈し、先端に刃先が形成されたくし歯を有する第１の鋏片と、第１の鋏片に回動自在に組付けられた第２の鋏片とから構成され、第２の鋏片は、第１の鋏片に対向する部位に刃が形成されていない特徴を有している。そのため、第１の鋏片のくし歯の間、及び刃の形成されていない第２の鋏片によって空間に髪が収容された場合でも、空間を形成する周縁がいずれも刃先を備えていないため髪が引掛かりを生じたり、擦れ合うことなどによって切刃が髪に食込んだ状態になり引掛かることや、擦れ合うことによって髪の表皮構造に重大なダメージを与えることがない。その結果、髪の健康状態を良好に保つことができる。
【０００６】
【特許文献１】
特許第２９６７２６９号公報
【０００７】
【発明が解決しようとする課題】
ところで、上述した毛すき鋏等は、切刃やすき刃などの刃先を有する刃物の一種であるため、長期間にわたって繰返し使用することにより、刃先の摩耗や欠損を生ずることがあった。この場合、髪の切れ具合（いわゆる「切れ味」）が悪化すると、理容者等は毛すきの手技を上手に安定して行うことができない不具合を生じることがあった。そこで、毛すき鋏の刃先を、砥石等を使って研ぐことで再び良好な切れ味を回復させていた。しかしながら、係る研ぐ作業を幾度か繰返すことによって、毛すき鋏のくし歯の長さが徐々に短くなり、くし歯の歯間と第２の鋏片（または切刃）とによって生成した空間が次第に狭くなることがあった。そのため、該空間に収容される髪の量が変化し、毛すき作業が難しくなったり、毛すき鋏の使用感覚に違和感を覚えることがあった。したがって、毛すきの手技が安定しない場合があった。
【０００８】
一方、毛すき鋏を実際に使用する理容師等の理美容従事者にとって、繊細な毛すき作業を行うために、毛すき鋏の先端部分は可能な限り先細に形成したものを好む傾向が強く、係る要求を毛すき鋏を製造するメーカーにする場合があった。しかしながら、毛すき鋏を先細に形成することは、上述した髪の収容される空間を充分に確保することが難しく、理容師等の要求と毛すき鋏の機能とが相矛盾することがあった。そのため、先細に形成し、かつ空間に充分な量の髪を収容することができる毛すき鋏を製造することはこれまで困難であった。
【０００９】
そこで、本発明は、上記実情に鑑み、髪を収容する空間を充分確保し、かつ先端部分を先細に形成可能な毛すき鋏の提供を課題とするものである。
【００１０】
【課題を解決するための手段】
上記の課題を解決するため、請求項１の発明にかかる毛すき鋏は、複数のくし歯を有し、前記くし歯の先端にすき刃が形成された第一鋏片と、前記第一鋏片に回動自在に軸を介して組付けられた第二鋏片とを具備する毛すき鋏において、前記第二鋏片は、前記第一鋏片の前記くし歯の歯間と対向した部位に切欠が設けられているものである。
【００１１】
ここで、切欠とは、第一鋏片のくし歯の歯間と対向する第二鋏片の部位に設けられるものであり、第二鋏片の刃片に刃を有しない状態で形成されている。また、切欠の形状は、例えば、切欠の周縁部分を略円弧形状にしたものや、Ｖ字（くさび）形状に形成したものなどが挙げられる。
【００１２】
したがって、請求項１の発明の毛すき鋏によれば、第一鋏片と、第一鋏片の歯間に対向する部位に複数の切欠を有する第二鋏片とが軸を介して組付けられている。これにより、第一鋏片及び第二鋏片を軸にしたがって回動させ、互いの先端部分を近づけて閉じる操作を行った場合、くし歯の歯間と切欠によって髪が切断されない空間が生成される。
【００１３】
つまり、毛すき鋏を用いて髪を切断する操作を行った場合でも、第一鋏片及び第二鋏片の間に挿入された髪が全て切断されるわけではなく、空間に収容された一部の髪は、くし歯の先端に形成されたすき刃と接しないため、そのまま残存する。さらに、空間の周縁をなす歯間及び切欠はいずれも刃が形成されていないため、該空間に髪を収容した状態で毛すき鋏を、例えば毛先方向に移動させて空間から髪を抜こうとした場合でも刃先によって髪を傷めることがない。
【００１４】
加えて、毛すき鋏を繰返し用いることにより、切れ味の悪くなった場合、例えば、第二鋏片に刃が形成されていないときは、第一鋏片のすき刃を砥石で研ぐことによって切れ味を回復させている。このとき、砥石による研磨作業により第一鋏片のくし歯の長さが徐々に短くなり、その結果、毛すき鋏を閉じて生成される空間が狭くなる場合がある。しかしながら、第二鋏片に切欠が形成されているため、研磨作業によってくし歯の長さが短くなった場合でも、生成される空間のサイズに大きな変化を生じることがなく、収容される髪の量が大きく異なることがない。そのため、理容師等は毛すきの手技を違和感なく行える。従来と同程度の大きさを確保しつつ、毛すき鋏を先細に製造することが可能となる。
【００１５】
請求項２の発明にかかる毛すき鋏は、請求項１に記載の毛すき鋏において、前記切欠は、前記第二鋏片の先端のみに設けられているものである。
【００１６】
したがって、請求項２の発明の毛すき鋏によれば、請求項１の発明の毛すき鋏の作用に加え、切欠が第二鋏片の先端に限って設けられている。ここで、毛すき鋏を使用し、第一鋏片及び第二鋏片を閉状態にする場合、軸に近い部分から互いに重なり合うようになり、第一鋏片及び第二鋏片の先端は最後に重なり合うことになる。すなわち、軸に近い部分は第一鋏片及び第二鋏片の開く間隔が狭く、多くの髪が挿入されるとくし歯や切欠の一部に引掛かりやすくなる。その結果、毛すきの手技に支障を来すおそれがある。そこで、切欠を第二鋏片の先端に限定して設けることにより、上述の問題を解消することが行える。
【００１７】
請求項３の発明にかかる毛すき鋏は、請求項１または請求項２に記載の毛すき鋏において、前記第二鋏片は、前記くし歯の前記すき刃と対向する部位に第二切欠が設けられているものである。
【００１８】
ここで、形成される第二切欠の形状は、前述の切欠と同様に特に限定されるものではないが、切欠の周縁部分を円弧にしたものや、Ｖ字（くさび）形状にしたものなどにすることが可能である。さらに、第二鋏片は、無刃片で形成されているため、切欠と同様に第二切欠の周縁に髪が触れた場合でも、髪が引掛かることなどの不具合を生じることがない。
【００１９】
したがって、請求項３の発明の毛すき鋏によれば、請求項１または請求項２の発明の毛すき鋏の作用に加え、第二鋏片に第二切欠が、第一鋏片のくし歯のすき刃に対向する部位に形成されている。これにより、第一鋏片及び第二鋏片を軸に従って回動させて閉じる操作、すなわち髪を切断する操作を行うと、髪の一部は形成された第二切欠に収容され、さらに第一鋏片のすき刃に接触することにより切断される。このとき、第二切欠に収容された髪は、第二鋏片の上での移動が制限されるため、対向する部位に形成されたすき刃によって確実に切断されることになる。そのため、切断操作によって切断される髪の量が一定となり、毛すきの手技が行いやすくなる。
【００２０】
請求項４の発明にかかる毛すき鋏は、請求項１乃至請求項３のいずれか一つに記載の毛すき鋏において、前記第二鋏片の前記切欠は、略円弧形状に形成されているものである。
【００２１】
したがって、請求項４の発明の毛すき鋏によれば、請求項１乃至請求項３のいずれか一つの発明の毛すき鋏の作用に加え、切欠が略円弧形状を為して形成されている。ここで、隣接したくし歯の互いの根本付近も略円弧形状に形成されていることが多い。そのため、くし歯の歯間及び切欠によって空間は、両端を円弧で形成した長円の形をしている。すなわち、生成された空間は、空間の境界が突起や鋭角などの尖った部分を含まない状態で形成されている。そのため、空間に収容された髪が引掛ったり、絡まったりする可能性が少なくなり、空間に収容した髪にダメージを与えるおそれが少ない。
【００２２】
請求項５の発明にかかる毛すき鋏は、請求項１乃至請求項４のいずれか一つに記載の毛すき鋏において、前記切欠は、前記第二鋏片の先端から前記軸に向かって切欠深さが漸浅して形成されているものである。
【００２３】
したがって、請求項５の発明の毛すき鋏によれば、請求項１乃至請求項４のいずれか一つの発明の毛すき鋏の作用に加え、第二鋏片の先端から軸方向に向かって切欠の切欠深さが徐々に浅く（漸浅）になるように形成されている。これにより、前述した軸近傍の空間に髪が多く収容されることがない。そのため、係る部分での髪の引掛かりなどの問題が発生することがさらに少なくなる。
【００２４】
なお、一般に第一鋏片に形成されるくし歯の長さは、先細に形成された毛すき鋏に応じて先端部分ほど短く、軸近くになるにつれて長く形成されていることが多い。そこで、先端部分の切欠きを最も深く形成し、さらに先端近傍から徐々に切欠深さを浅くして形成することにより、第一鋏片の歯間及び第二鋏片の円弧状の切欠が切欠きが形成された空間のサイズを略同一にすることが行える。
【００２５】
【発明の実施の形態】
以下、本発明の一実施形態である毛すき鋏１について図１乃至図３に基づいて説明する。図１は本発明の一実施形態である毛すき鋏１の構成を示す正面図であり、図２は本実施形態の毛すき鋏１における第一鋏片２及び第二鋏片３の開状態ＯＳを示す要部拡大正面図であり、図３は本実施形態の毛すき鋏１における第一鋏片２及び第二鋏片３の閉状態ＣＳを示す要部拡大正面図である。
【００２６】
本実施形態の毛すき鋏１は、図１に示すように、くし歯４を有する第一鋏片２及びくし歯４の歯間に対向する部位に略円弧状の切欠５を有する第二鋏片３から構成され、第一鋏片２及び第二鋏片３のそれぞれの略中心付近で軸部６を介して回動自在に組付けられている。ここで、軸部６付近の第一鋏片２及び第二鋏片３の互いの接する面は、略平らに形成されており、軸部６を軸とした回動によって第一鋏片２及び第二鋏片３を開閉させた場合でも隙間を生じることなく、滑らかに回動することができる。
【００２７】
さらに、第一鋏片２及び第二鋏片３は、軸部６を介して回動させ、第一鋏片２及び第二鋏片３を開状態ＯＳ、及び閉状態ＣＳにする開閉操作を行うために親指または薬指等を挿通可能な指通孔７を有する持手８が、くし歯４及び切欠５が形成されたそれぞれの刃片（第一刃片９、第二無刃片１０）の軸部６に対して反対側に設けられている。また、持手８には、第一鋏片２及び第二鋏片３を完全に閉じたときに回動を制限するためのストッパ１１、及び該ストッパ１１に対向する位置にストッパ止め１２がそれぞれ配設されている。
【００２８】
さらに、第一鋏片２の第一刃片９について、詳細に説明すると、図２及び図３に示すように、第二鋏片３の第二無刃片１０と対向するように形成された第一刃片９には、所定の等間隔の歯間Ｗを保って形成された複数のくし歯４が形成され、該くし歯４の先端部分には、髪Ｈを切断するための刃先を有するすき刃１３がそれぞれ形成されている。なお、第一刃片９は先端部分が最も細く形成されているため、くし歯４の長さも先端が一番短くなり、軸部６方向に向かって徐々に長くなっている。
【００２９】
一方、第二鋏片３の第二無刃片１０は、第一刃片９のくし歯４の歯間Ｗに対向する部位に円弧状の切欠５が第二鋏片３の先端から八カ所に設けられている。さらに、第一鋏片２のすき刃１３に対向する部位には、くさび形状の第二切欠１４が形成されている。したがって、第二鋏片３の先端付近は、円弧形状の切欠５及びくさび形状の第二切欠１４が交互に設けられ、第二無刃片１０の中央付近から軸部６にかけては第二切欠１４のみがすき刃１３の間隔に合わせて設けられている。また、図２に示すように、第二鋏片３の先端付近に八カ所形成された切欠５は、切欠深さＤが先端から軸部６の方向に向かって徐々に浅くなるように設定されている。なお、第二無刃片１０に設けられた切欠５及び第二切欠１４、さらに切欠５及び第二切欠１４の間の刃片縁１５はいずれも「刃」は形成されておらず、髪Ｈの切断はすき刃１３によって行われる。
【００３０】
次に、本実施形態の毛すき鋏１の使用方法について説明する。始めに、毛すき鋏１を理容師等が手（例えば、右手）に持ち、第一鋏片２及び第二鋏片３の先端を互いに離間するように軸部６を介して回動させて開状態ＯＳにする（図２参照）。そして、毛すきを行う髪Ｈを第一鋏片２の第一刃片９及び第二鋏片３の第二無刃片１０の間に挿入する。
【００３１】
それから、第一鋏片２及び第二鋏片３を、軸部６を介して回転させて、離間した互いの先端部分を再び近づけるように徐々に閉じると、軸部６の近傍に位置する第一刃片９及び第二無刃片１０が次第に重なり合う。これにより、第一刃片９のすき刃１３と接し、さらに第二無刃片１０の刃片縁１５に挟まれた状態の髪Ｈは、すき刃１３によって切断される。このとき、第二無刃片１０に形成されたくさび状の第二切欠１４に挿入された髪Ｈの一部が収容されている。この第二切欠１４は、第二無刃片１０の刃片縁１５に対して窪んだ凹形状を有しているため、第二切欠１４に収容された髪Ｈは、第二無刃片１０の刃片縁１５の上を横方向（図３において紙面左右方向に相当）に移動することが制限される。これにより、すき刃１３と髪Ｈとが確実に接するため、第二切欠１４に収容された髪Ｈが切断される。なお、図２及び図３において、説明を簡略化するために髪Ｈの太さを実際の第二切欠１４の幅よりも太く図示しているが、実際は髪Ｈは第二切欠１４の幅よりも細いものであり、第二切欠１４に複数本の髪Ｈが収容されることになる。
【００３２】
一方、上述の操作の中で、第二無刃片１０の円弧状の切欠５に位置する髪Ｈは、第二切欠１４と同様の理由で横方向への移動が制限され、第一刃片９のくし歯４の歯間Ｗ及び切欠５によって空間Ｓに収まる。これにより、空間Ｓに収容された髪Ｈは、すき刃１３によって切断されることがない。
【００３３】
このとき、既に述べたように、切欠５は第二鋏片３の先端部分から切欠深さＤが軸部６に向かって徐々に浅くなるように形成され、一方くし歯４の長さは軸部６に向かって徐々に長くなるように形成されている。そして、図３に示すように、切欠５及び歯間Ｗによって生成された空間Ｓの大きさが、それぞれがほぼ同一になるように設定されている。また、切欠５が先端にのみ形成されていることにより、毛すき鋏１を先細に形成し、空間Ｓを充分確保できるとともに、軸部６の近傍に多くの髪Ｈが収容されることによって引掛かりを生じ、毛すきを速やかに行うことができなくなる問題を解消することができる。
【００３４】
また、空間Ｓに髪Ｈを収めた状態で、髪Ｈの毛先方向などに毛すき鋏１を動かしても、空間Ｓは長円状を呈し、髪Ｈが尖った部分や突起などに引掛かることがないため、表皮構造を傷つけ、髪Ｈの健康状態を損なうなどの問題がない。
【００３５】
さらに、毛すきの手技の作業性などの点から、毛すき鋏１の先端を可能な限り先細にしたものが理容師等から要求されていた。そこで、本実施形態の毛すき鋏１のように、第二鋏片３の先端付近に切欠５を設けることにより、先細に形成した毛すき鋏１であっても、髪Ｈを収容可能な空間Ｓを比較的広く確保することができるため、上述の理容師等の要求に応えることができる。
【００３６】
さらに、毛すき鋏１の使用を繰り返し、すき刃１３の切れ具合が悪くなると、刃先を研ぎ、切れ味を復活させることがある。このとき、研磨によって第一刃片９のくし歯４の長さが次第に短くなる。しかしながら、第二無刃片１０に切欠５が形成されているため、研いだ前後での空間Ｓの大きさが変化することがほとんどない。したがって、空間Ｓに収容される髪Ｈの量も略同一となり、毛すき鋏１の使用に違和感を理容師等が覚えることがない。
【００３７】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３８】
すなわち、本実施形態の毛すき鋏１で示した切欠５及び第二切欠１４の形状、間隔、数、幅、及び切欠深さＤなどは、特に限定されるものではなく、収容する髪Ｈの量等に応じて種々設定することができる。例えば、切欠５の切欠深さＤを深くすることにより、収容する髪Ｈの量が増え、切断される髪Ｈの量を減らし、わずかな量だけすくことができる。一方、第二切欠１４を大きく形成することにより、すき刃１３によって切断される髪Ｈの量を多くすることができる。
【００３９】
さらに、逆目用として、第一鋏片２に切欠５等を有する第二無刃片１０を形成し、第二鋏片３にくし歯４を形成したものであっても構わない。
【００４０】
【発明の効果】
以上のように、請求項１の発明の毛すき鋏は、第一鋏片のくし歯の歯間及び第二鋏片の切欠によって髪を収容可能な空間を生成することができる。これにより、空間の大きさを充分確保することができる状態で、毛すき鋏を特に先細に形成することができる。さらに、研ぐことによってくし歯が短くなった場合でも生成される空間の大きさがほとんど変化しないため、研磨の前後で使用に違和感を覚えることがほとんどない。
【００４１】
請求項２の発明の毛すき鋏は、請求項１の発明の毛すき鋏の効果に加え、切欠が第二鋏片の先端に限られて設けられている。第一鋏片及び第二鋏片が組付けられた軸付近において髪が引掛かる可能性が低くなり、毛すきを速やかに行うことができる。
【００４２】
請求項３の発明の毛すき鋏は、請求項１または請求項２の発明の毛すき鋏の効果に加え、くし歯のすき刃と対向する位置に第二無刃片の刃片縁よりも窪んだ形状の第二切欠が形成されている。これにより、第二切欠に収容された髪は刃片縁を横方向に移動することが制限される。したがって、第一鋏片及び第二鋏片を完全に閉じた場合、第一鋏片のすき刃が確実に第二鋏片部の第二切欠の髪を切断することができる。これにより、髪の切断量が一定となり、毛すきの量の調整を容易に行うことができる。
【００４３】
請求項４の発明の毛すき鋏は、請求項１乃至請求項３のいずれか一つの発明の毛すき鋏の効果に加え、切欠を略円弧形状に形成することにより、空間の周縁がいずれも突起や鋭角などの尖った部分を含んでいないため、空間に収容された髪が鋭角部分に引っ掛かったり、絡まることが少なくなり、髪の表皮構造などにダメージを与えることをさらに確実に回避することができる。
【００４４】
請求項５の発明の毛すき鋏は、請求項１乃至請求項４のいずれか一つの発明の毛すき鋏の効果に加え、切欠の深さを先端から軸に向かって徐々に浅くなるように形成することにより、さらに毛すき鋏の先端以外の部分で髪が引掛かる可能性が低くなり、毛すきを容易に行うことができる。
【図面の簡単な説明】
【図１】本実施形態の毛すき鋏の構成を示す正面図である。
【図２】本実施形態の毛すき鋏における第一鋏片及び第二鋏片の開状態を示す要部拡大正面図である。
【図３】本実施形態の毛すき鋏における第一鋏片及び第二鋏片の閉状態を示す要部拡大正面図である。
【符号の説明】
１　毛すき鋏
２　第一鋏片
３　第二鋏片
４　くし歯
５　切欠
６　軸部（軸）
１３　すき刃
１４　第二切欠
Ｄ　切欠深さ
Ｈ　髪
Ｓ　空間
Ｗ　歯間
【図１】
2004121555.tif 000003
【図２】
2004121555.tif 000004
【図３】
2004121555.tif 000005